(57)【要約】【課題】利便性の高い画像読取装置を提供する。【解決手段】本発明の画像読取装置１は、本体部３と、画像読取部５と、操作パネル部７とを備えている。画像読取部５は、本体部３の上部に設けられている。操作パネル部７は、奥行き方向に沿った画像読取部５の一辺に隣接して設けられている。操作パネル部７は、本体部３の前面側に設けられている。操作パネル部７の奥行き方向の長さは、画像読取部５の奥行き方向の長さより短い。また、本体部３の前面側と反対側にある操作パネル部７における背面７４には、接続ケーブル８１を接続するコネクタ７Ｄが設けられている。また、本体部３の上部には、操作パネル部７の背面７４から奥行き方向に向けて、少なくとも空間８３が設けられている。【選択図】図７
2020162073.tif 000002
【特許請求の範囲】
【請求項１】
幅方向と前記幅方向に直交する奥行き方向とに延びる本体部と、
前記本体部の上部に設けられ、前記幅方向と前記奥行き方向とに延びる画像読取部と、
前記奥行き方向に沿った前記画像読取部の一辺に隣接して設けられる操作パネル部と、
を備え、
前記操作パネル部は、前記本体部の前面側に設けられ、
前記操作パネル部の前記奥行き方向の長さは、前記画像読取部の前記奥行き方向の長さより短く、
前記本体部の前記前面側と反対側にある前記操作パネル部における背面には、接続ケーブルを接続するコネクタが設けられ、
前記本体部の上部には、前記操作パネル部の前記背面から前記奥行き方向に向けて、少なくとも空間が設けられている、
ことを特徴とする画像読取装置。
【請求項２】
前記本体部の上部には、
前記操作パネル部の前記背面から前記空間を挟んで配置され、前記接続ケーブルを前記背面から前記奥行き方向に向けて保持可能な保持部が設けられている請求項１記載の画像読取装置。
【請求項３】
前記画像読取部は、
透明の板状をなし、媒体が載置される第１面を有するプラテンガラス、を有し、
前記画像読取装置は、更に、
前記プラテンガラスの上方側に位置し、前記プラテンガラス及び前記保持部を上方側から覆う第１位置と、前記プラテンガラス及び前記保持部を外部に開放する第２位置とに変位可能なカバーを備えている請求項２記載の画像読取装置。
【請求項４】
前記保持部は、前記第１位置に変位した前記カバーと当接しつつ、前記カバーを支持する請求項３記載の画像読取装置。
【請求項５】
前記保持部は、前記幅方向及び前記奥行き方向に直交する高さ方向に延びる第１立壁と、
前記高さ方向に延び、前記第１立壁との間で前記接続ケーブルを挟持する第２立壁と、
前記第１立壁と前記第２立壁と間に位置して上方側に向かって開口し、前記第１立壁及び前記第２立壁の上方側から、前記第１立壁と前記第２立壁と間に前記接続ケーブルを挿入可能な挿入口と、
を有している請求項２乃至４のいずれか１項記載の画像読取装置。
【発明の詳細な説明】
【技術分野】
【０００１】
本発明は画像読取装置に関する。
【背景技術】
【０００２】
特許文献１に従来の画像読取装置の一例であるフラットベッドスキャナが開示されている。このフラットベッドスキャナは、本体部と、画像読取部とを備えている。本体部は、幅方向と、幅方向に直交する奥行き方向とに延びている。画像読取部は、本体部の上部に設けられており、幅方向と奥行き方向とに延びている。
【０００３】
また、本体部には、コネクタが設けられている。コネクタは、本体部の背面、すなわち、本体部における奥行き方向の後端に配置されている。
【０００４】
このフラットベッドスキャナでは、画像読取部によって原稿の画像の読み取りを行う。また、コネクタに通信ケーブルが接続される。これにより、このフラットベッドスキャナでは、通信ケーブルによって、画像読取部で取得した原稿の読取画像を情報処理装置に送信したり、情報処理装置から読み取り設定を受信したりすることが可能となっている。
【先行技術文献】
【特許文献】
【０００５】
【特許文献１】特開２０１８−１４８３６５号公報
【発明の概要】
【発明が解決しようとする課題】
【０００６】
しかし、上記従来のフラットベッドスキャナでは、本体部の背面にコネクタが配置されているため、使用者は、コネクタに通信ケーブルを抜き差しし難い。このため、このフラットベッドスキャナは利便性が低い。
【０００７】
本発明は、上記従来の実情に鑑みてなされたものであって、利便性の高い画像読取装置を提供することを解決すべき課題としている。
【課題を解決するための手段】
【０００８】
本発明の画像読取装置は、幅方向と前記幅方向に直交する奥行き方向とに延びる本体部と、
前記本体部の上部に設けられ、前記幅方向と前記奥行き方向とに延びる画像読取部と、
前記奥行き方向に沿った前記画像読取部の一辺に隣接して設けられる操作パネル部と、
を備え、
前記操作パネル部は、前記本体部の前面側に設けられ、
前記操作パネル部の前記奥行き方向の長さは、前記画像読取部の前記奥行き方向の長さより短く、
前記本体部の前記前面側と反対側にある前記操作パネル部における背面には、接続ケーブルを接続するコネクタが設けられ、
前記本体部の上部には、前記操作パネル部の前記背面から前記奥行き方向に向けて、少なくとも空間が設けられている、
ことを特徴とする。
【０００９】
本発明の画像読取装置では、操作パネル部が本体部の前面側に設けられている。また、操作パネル部の背面にコネクタが設けられている。そして、本体部の上部には、操作パネル部の背面から奥行き方向に向けて空間が設けられており、使用者は、空間を通じてコネクタに対する接続ケーブルの抜き差しを行う。ここで、操作パネル部の奥行き方向の長さは、画像読取部の奥行き方向の長さより短い。このため、この画像読取装置では、操作パネル部が本体部に設けられた状態で、操作パネル部の背面、ひいてはコネクタは、本体部の背面よりも奥行き方向で本体部の前面側に離れた位置に配置される。このため、コネクタが本体部の背面に配置される場合に比べて、この画像読取装置では、使用者は、コネクタに接続ケーブルを抜き差しし易い。
【００１０】
したがって、本発明の画像読取装置は、高い利便性を有している。
【図面の簡単な説明】
【００１１】
【図１】実施例の画像読取装置の斜視図である。
【図２】実施例の画像読取装置の斜視図である。
【図３】実施例の画像読取装置の上面図である。
【図４】実施例の画像読取装置に係り、コネクタに接続ケーブルが接続された状態における側面図である。
【図５】実施例の画像読取装置に係り、保持部を示す要部拡大斜視図である。
【図６】実施例の画像読取装置に係り、図１のＹ１部分を示す要部拡大斜視図である。
【図７】実施例の画像読取装置に係り、コネクタに接続ケーブルが接続された状態における要部拡大上面図である。
【図８】実施例の画像読取装置に係り、図７のＹ２部分を示す要部拡大上面図である。
【発明を実施するための形態】
【００１２】
以下、本発明を具体化した実施例を図面を参照しつつ説明する。
【００１３】
（実施例）
＜全体構成＞
図１に示すように、実施例の画像読取装置１は、本発明の画像読取装置の具体的態様の一例である。画像読取装置１は、画像形成部２９を有する本体部３と、画像読取部５と、操作パネル部７と、カバー９と備えている。
【００１４】
図１では、排出口２３が配置される側を画像読取装置１の前方と規定し、排出口２３に向かった場合に左に来る側を左方と規定して、左右方向、上下方向及び上下方向を表示する。左右方向、前後方向及び上下方向は、互いに直交している。左右方向は、本発明における幅方向の一例であり、前後方向は、本発明における奥行き方向の一例であり、上下方向は、本発明における高さ方向の一例である。そして、図２以降の各図に示す各方向は、全て図１に示す各方向に対応させて表示する。以下、図１等に基づいて、画像読取装置１が備える各構成要素について説明する。
【００１５】
＜本体部の構成＞
図１及び図２に示すように、本体部３は、第１本体１１と、第２本体１３とを有している。第１本体１１は、上壁１１Ａと、左側壁１１Ｂと、右側壁１１Ｃと、背面壁１１Ｄとを有している。
【００１６】
上壁１１Ａは、第１本体１１の上部に位置している。図３に示すように、上壁１１Ａは、左右方向及び前後方向に延びている。左側壁１１Ｂは、第１本体１１の左端に位置している。左側壁１１Ｂは、上下方向に延びており、上端で上壁１１Ａと一体をなしている。また、左側壁１１Ｂは、第１本体１１の前端から後端まで延びている。ここで、左側壁１１Ｂは、前端部分が第１本体１１の右方向に回り込む形状をなしている。図３に示すように、左側壁１１Ｂは、第１本体１１の左端に位置している。詳細な図示を省略するものの、上下方向及び前後方向に延びており、上端で上壁１１Ａと一体をなしている。図２に示すように、背面壁１１Ｄは、第１本体１１の後端に位置している。背面壁１１Ｄは、上下方向に延びており、上端で上壁１１Ａと一体をなしている。また、背面壁１１Ｄは、左端で左側壁１１Ｂの後端と一体をなしており、右端で右側壁１１Ｃの後端と一体をなしている。
【００１７】
第２本体１３は、左右方向、前後方向及び高さ方向に延びている。第２本体１３の左端には、接続部１３Ａが設けられている。接続部１３Ａには、図示しない電源ケーブルが接続される。なお、第２本体１３における接続部１３Ａの位置は適宜設計可能である。また、接続部１３Ａを第１本体１１に設けても良い。
【００１８】
図１及び図２に示すように、本体部３は、第１本体１１と第２本体１３とを上下方向に組み付けることによって形成されている。こうして、本体部３は、左右方向、上下方向及び前後方向に延びる略箱形状をなしている。そして、第１本体１１の上壁１１Ａは、本体部３の上部に位置しており、左側壁１１Ｂは、本体部３の左端に位置しており、右側壁１１Ｃは、本体部３右端に位置している。また、背面壁１１Ｄは、本体部３の後端、すなわち本体部３の背面に位置している。そして、第２本体１３は、本体部３の下部に位置している。これにより、図２に示すように、接続部１３Ａは、本体部３の左下部に位置している。
【００１９】
また、図１に示すように、本体部３には、インクカバー１５と、フロント壁１７と、給紙トレイ１９とが設けられている他、図２に示す給紙部２１が設けられている。
【００２０】
図１に示すように、インクカバー１５は、本体部３の前方右側に配置されている。詳細な図示を省略するものの、インクカバー１５は、本体部３に対して前方に引き出し可能に取り付けられている。フロント壁１７は、本体部３の前方であって、インクカバー１５の左側に配置されている。フロント壁１７は、左右方向及び上下方向に延びている。また、フロント壁１７には、排出口２３が形成されている。排出口２３は、本体部３内に連通している。インクカバー１５、フロント壁１７及び左側壁１１Ｂの前端部分によって、本体部３の前面が構成されている。
【００２１】
給紙トレイ１９は、フロント壁１７の下方に配置されている。給紙トレイ１９には、用紙等のシート（図示略）を載置可能となっている。給紙トレイ１９は、本体部３に収容されることにより、シートを本体部３内に収容する。また、給紙トレイ１９は、本体部３に対して前方に引き出すことにより、本体部３から取り出し可能となっている。図２に示すように、給紙部２１は、背面壁１１Ｄに取り付けられており、本体部３の背面に位置している。
【００２２】
また、インクカバー１５の内部には、インク２８が設けられている。また、本体部３内には、図４に示す電源装置２７及び画像形成部２９が設けられている。なお、図１及び図４では、説明を容易にするため、インク２８、電源装置２７及び画像形成部２９の各形状を模式化して図示している。
【００２３】
図１に示すように、インク２８は、インクカバー１５の内部に設けられることにより、本体部３内における右側に設けられている。インク２８は、インクカバー１５を本体部３に対して前方に引き出すことにより、インクカバー１５の内部、ひいては本体部３内から取り出して交換可能となっている。図４に示すように、電源装置２７は、本体部３内における左下側に設けられている。電源装置２７は、接続部１３Ａを介して電源ケーブルと通電可能に接続されることにより、画像形成部２９の他、画像読取部５や操作パネル部７等に電力を供給する。
【００２４】
画像形成部２９は、本体部３内において、後方側に設けられている。画像形成部２９は、図示しない搬送機構や画像形成機構等によって構成されている。画像形成部２９は、給紙部２１や給紙トレイ１９から給紙されたシートに対し、インクジェット方式によって画像を形成する。なお、画像形成部２９は、レーザ方式等によってシートに画像を形成しても良い。また、本体部３内におけるインク２８、電源装置２７及び画像形成部２９の各配置は適宜設計可能である。
【００２５】
＜ケーブル保持部の構成＞
また、図３及び図５に示すように、本体部３には、ケーブル保持部２５が設けられている。ケーブル保持部２５は、本発明における「保持部」の一例である。ケーブル保持部２５は、第１本体１１の上壁１１Ａ、つまり、本体部３の上部に設けられている。
【００２６】
ケーブル保持部２５は、第１立壁２５Ａと、第２立壁２５Ｂと、挿入口２５Ｃとを有している。第１立壁２５Ａ及び第２立壁２５Ｂは、上壁１１Ａに一体に形成されている。第１立壁２５Ａは、上壁１１Ａの左端であって、上壁１１Ａの前後方向の中央よりもやや後方側に位置している。第１立壁２５Ａは、上壁１１Ａから前後方向に延びつつ上方に向かって延びる略矩形状に形成されている。また、第１立壁２５Ａは、左側壁１１Ｂとも繋がっている。第２立壁２５Ｂは、上壁１１Ａにおいて、第１立壁２５Ａの右方に位置している。また、第１立壁２５Ａと同様、第２立壁２５Ｂは、上壁１１Ａの前後方向の中央よりもやや後方側に位置している。第２立壁２５Ｂは、上壁１１Ａから前後方向に延びつつ上方に向かって延びる略矩形状に形成されており、第１立壁２５Ａとは離間しつつ第１立壁２５Ａと対向している。なお、第１、２立壁２５Ａ、２５Ｂにおける前後方向の長さを含め、第１、２立壁２５Ａ、２５Ｂの形状は適宜設計可能である。
【００２７】
また、図８に示すように、第１立壁２５Ａには、第２立壁２５Ｂに向かって突出する第１係止リブ２５１、２５２が形成されている。同様に、第２立壁２５Ｂには、第１立壁２５Ａに向かって突出する第２係止リブ２５３、２５４が形成されている。
【００２８】
挿入口２５Ｃは、第１立壁２５Ａと第２立壁２５Ｂとの間に位置している。挿入口２５Ｃは、上方に向かって開口しているとともに、前後方向に開口している。挿入口２５Ｃは、第１立壁２５Ａ及び第２立壁２５Ｂの上方から第１立壁２５Ａと第２立壁２５Ｂとの間に接続ケーブル８１を挿入可能となっている。
【００２９】
図７及び図８に示すように、ケーブル保持部２５は、挿入口２５Ｃによって、第１立壁２５Ａ及び第２立壁２５Ｂとの間に接続ケーブル８１が挿入されることにより、第１立壁２５Ａと第２立壁２５Ｂとによって接続ケーブル８１を挟持しつつ、接続ケーブル８１を後述するケース７Ａの背面７４から後方に向けて保持可能となっている。この際、図８に示すように、第１係止リブ２５１、２５２及び第２係止リブ２５３、２５４は、第１立壁２５Ａと第２立壁２５Ｂとの間で接続ケーブル８１と当接する。なお、接続ケーブル８１の他、ケーブル保持部２５による接続ケーブル８１の保持についての詳細は後述する。また、図８では、説明を容易にするため、接続ケーブル８１を仮想線で図示している。
【００３０】
＜画像読取部の構成＞
図３に示すように、画像読取部５は本体部３の上部に設けられており、本体部３の上部で左右方向及び前後方向に延びている。画像読取部５は、プラテンガラス５１と、読取センサ５３と、保持部材５５とを有している。
【００３１】
プラテンガラス５１は左右方向及び前後方向に延びる矩形状に形成されている。プラテンガラス５１は、表面に画像の読み取りを行う媒体を載置可能となっている。なお、媒体としては、例えば原稿や書籍等が挙げられる。
【００３２】
読取センサ５３は、プラテンガラス５１の下方、つまり、プラテンガラス５１の裏面側に配置されている。読取センサ５３としては、ＣＩＳ（Ｃｏｎｔａｃｔ  Ｉｍａｇｅ  Ｓｅｎｓｏｒ）やＣＣＤ（Ｃｈａｒｇｅ  Ｃｏｕｐｌｅｄ  Ｄｅｖｉｃｅ）等の周知の画像読取センサが採用されている。読取センサ５３は、図示しない駆動装置によって、プラテンガラス５１に対して左右方向に移動可能となっている。これにより、読取センサ５３は、プラテンガラス５１に載置された媒体の画像を読み取ることが可能となっている。
【００３３】
保持部材５５は、第１本体１１の上壁１１Ａに固定されており、本体部３の上部であって、ケーブル保持部２５よりも右方に配置されている。保持部材５５は、略矩形状に形成されており、左辺５５Ａと、右辺５５Ｂと、前辺５５Ｃと、後辺５５Ｄとを有している。左辺５５Ａは、保持部材５５の左方に位置して前後方向に延びる前方部分５５１と、前方部分５５１よりも左方となる保持部材５５の左端に位置し、前後方向に延びる後方部分５５２と、前方部分５５１と後方部分５５２との間に位置し、左右方向に延びて前方部分５５１と後方部分５５２に接続する接続部分５５３とで構成されている。右辺５５Ｂは、保持部材５５の右端に位置して前後方向に延びている。前辺５５Ｃは、保持部材５５の前端に位置して左右方向に延びている。前辺５５Ｃは、左端で左辺５５Ａの前端、つまり前方部分５５１と接続しており、右端で右辺５５Ｂの前端と接続している。後辺５５Ｄは、保持部材５５の後方に位置しており、左右方向に延びている。後辺５５Ｄは、左端で左辺５５Ａの後端、つまり後方部分５５２と接続しており、右端で右辺５５Ｂの後端と接続している。また、保持部材５５は、第１連結部５５Ｅと、第２連結部５５Ｆとを有している。第１連結部５５Ｅは、保持部材５５の左後方であって、後辺５５Ｄよりも後方に位置している。第２連結部５５Ｆは、保持部材５５の右後方であって、後辺５５Ｄよりも後方に位置している。
【００３４】
保持部材５５は、プラテンガラス５１を上方から覆いつつ、プラテンガラス５１を保持する。また、保持部材５５には、開口５５０が形成されている。保持部材５５は、開口５５０を通じてプラテンガラス５１を外部に露出させている。ここで、保持部材５５における左右方向の長さは、上壁１１Ａにおける左右方向の長さ、すなわち本体部３の左右方向の長さよりも短く形成されている。また、保持部材５５における前後方向の長さは、本体部３の前後方向の長さよりも短く形成されている。これにより、保持部材５５、ひいては、画像読取部５は、本体部３の上部において、本体部３よりも短い長さで左右方向及び前後方向に延びている。
【００３５】
＜操作パネル部の構成＞
操作パネル部７は、図１〜図３に示すケース７Ａと、複数の操作スイッチ７Ｂと、図４及び図７に示す制御基板７Ｃと、コネクタ７Ｄとを有している。図１〜図３に示すように、ケース７Ａは、上面７１と、左側面７２と、前面７３と、背面７４と、図示しない右側面とを有しており、下方が開口する略矩形の箱状に形成されている。ケース７Ａにおける前後方向の長さは、保持部材５５の前後方向の長さ、すなわち画像読取部５における前後方向の長さよりも短く形成されている。つまり、操作パネル部７は、本体部３や画像読取部５よりも前後方向に小さく形成されている。各操作スイッチ７Ｂは、ケース７Ａに設けられており、ケース７Ａの上面７１に位置している。
【００３６】
図４及び図７に示すように、制御基板７Ｃは、ケース７Ａ内に収容されており、各操作スイッチ７Ｂと接続されている。図６に示すように、コネクタ７Ｄは、ケース７Ａの背面７４に設けられている。図４及び７に示すように、コネクタ７Ｄは、ケース７Ａ内で制御基板７Ｃと接続されている。コネクタ７Ｄは、接続ケーブル８１と接続可能となっている。接続ケーブル８１としては、例えばＵＳＢ（Ｕｎｉｖｅｒｓａｌ  Ｓｅｒｉａｌ  Ｂｕｓ）ケーブル等が挙げられる。図４に示すように、この画像読取装置１は、コネクタ７Ｄに接続された接続ケーブル８１を通じて、外部に設けられたパソコン等の情報処理装置１００と接続可能となっている。なお、コネクタ７Ｄの形状は、接続ケーブル８１の形状や規格に応じて適宜設計可能である。
【００３７】
図１〜図２に示すように、操作パネル部７では、ケース７Ａが第１本体１１の上壁１１Ａに対し、ケーブル保持部２５よりも前方に固定される。これにより、操作パネル部７は、本体部３の上部であって、本体部３の前面側かつ左端に配置されており、保持部材５５の左辺５５Ａに隣接、より具体的には、左辺５５Ａの前方部分５５１に隣接している。こうして、操作パネル部７は、図３に示すように、本体部３の上部であって、画像読取部５よりも左方に位置している。
【００３８】
ここで、ケース７Ａにおける前後方向の長さは、画像読取部５における前後方向の長さよりも短い。このため、操作パネル部７が本体部３に設けられることにより、図３及び図７に示すように、ケース７Ａの背面７４は、本体部３の前面側の反対側であって、第１本体１１の背面壁１１Ｄ、つまり、本体部３の背面よりも前方に位置する。このため、ケース７Ａの背面７４に設けられたコネクタ７Ｄも、本体部３の前面側の反対側で、本体部３の背面よりも前方に位置しており、背面７４から本体部３の背面側に臨んだ状態となっている。
【００３９】
また、操作パネル部７は、ケーブル保持部２５よりも前方に固定されているため、ケース７Ａの背面７４及びコネクタ７Ｄは、ケーブル保持部２５よりも前方に位置している。これにより、本体部３の上部において、操作パネル部７とケーブル保持部２５の間には、ケース７Ａの背面７４からケーブル保持部２５に向かって後方に延びる空間８３が設けられている。換言すれば、ケーブル保持部２５は、本体部３の上部において、ケース７Ａの背面７４から空間８３を挟んでコネクタ７Ｄの後方に配置されている。図３に示すように、空間８３は、上方及び左方に開口している。
【００４０】
＜カバーの構成＞
図１〜図４に示すように、カバー９は、本体部３の上部に配置されている。カバー９は、図３に示す保持部材５５の第１連結部５５Ｅ及び第２連結部５５Ｆに対し、開閉軸心Ｘ周りに揺動可能に連結されている。これにより、カバー９は、図１、図２及び図４に示す第１位置と、図３に示す第２位置とに変位可能となっている。カバー９は、図１等に示す第１位置に変位することにより、プラテンガラス５１、保持部材５５及びケーブル保持部２５を上方から覆うことが可能となっている。また、図４に示すように、第１位置に変位したカバー９は、空間８３を上方から覆うことが可能となっている。ここで、図６に示すように、カバー９が第１位置に変位し、ケーブル保持部２５を上方から覆うことにより、第１立壁２５Ａ及び第２立壁２５Ｂはカバー９と当接する。一方、カバー９は、図３に示す第２位置に変位することにより、プラテンガラス５１、保持部材５５、ケーブル保持部２５、及び空間８３を上方に開放することが可能となっている。
【００４１】
＜画像読取動作＞
この画像読取装置１では、媒体の読み取りを行う場合、使用者は、カバー９を第２位置に変位させ、媒体をプラテンガラス５１に載置する。そして、使用者は、各操作スイッチ７Ｂを操作して読取センサ５３を作動させることで、プラテンガラス５１に載置された媒体の画像を読取センサ５３に読み取らせる。こうして、媒体の画像の読み取りが完了する。このようにして、読取センサ５３が読み取りを行った媒体の画像は、以下で説明するように、画像形成部２９によってシートに形成することが可能である他、接続ケーブル８１を通じて情報処理装置１００に送信可能である。
【００４２】
＜画像形成動作＞
画像形成部２９によってシートＳＨに画像を形成する場合、使用者は、給紙トレイ１９にシートを載置した状態で、給紙トレイ１９を本体部３内に収容する。そして、使用者は、各操作スイッチ７Ｂを操作して、給紙トレイ１９及び画像形成部２９を作動させる。これにより、給紙トレイ１９は、載置されたシートを画像形成部２９に給紙する。こうして、画像形成部２９は、搬送機構によって、シートを搬送しつつ、読取センサ５３が読み取りを行った媒体の画像を画像形成機構によってシートに形成する。また、この画像読取装置１では、使用者が給紙部２１にシートを載置することにより、画像形成部２９は、給紙部２１から給紙されたシートに対して画像を形成する。こうして、画像形成部２９によって画像が形成されたシートは、排出口２３から排出される。これにより、画像形成動作が完了する。なお、画像形成部２９は、接続ケーブル８１を通じて情報処理装置１００から送信された画像をシートに形成することも可能である。
【００４３】
＜作用効果＞
この画像読取装置１では、操作パネル部７は、本体部３の上部であって、本体部３の前面側かつ左端に配置されており、保持部材５５の左辺５５Ａの前方部分５５１に隣接している。また、操作パネル部７では、ケース７Ａの背面７４にコネクタ７Ｄが設けられている。そして、本体部３の上部において、操作パネル部７とケーブル保持部２５の間には、ケース７Ａの背面７４から後方に延びる空間８３が設けられている。このため、この画像読取装置１では、使用者は、空間８３を通じてコネクタ７Ｄに対する接続ケーブル８１の抜き差しを行うことが可能となっている。
【００４４】
ここで、この画像読取装置１では、ケース７Ａにおける前後方向の長さは、保持部材５５の前後方向の長さよりも短い。このため、この画像読取装置１では、操作パネル部７が本体部３に設けられた態で、ケース７Ａの背面７４、ひいてはコネクタ７Ｄは、第１本体１１の背面壁１１Ｄ、つまり、本体部３の背面よりも前方に位置している。このため、コネクタ７Ｄが本体部３の背面に配置される場合に比べて、この画像読取装置では、使用者は、コネクタ７Ｄに接続ケーブル８１を抜き差しし易くなっている。
【００４５】
したがって、実施例の画像読取装置１は、高い利便性を有している。
【００４６】
また、この画像読取装置１では、本体部３の上部にケーブル保持部２５が設けられており、ケーブル保持部２５は、ケース７Ａの背面７４から空間８３を挟んで操作パネル部７の後方に配置されている。そして、ケーブル保持部２５は、図４、図７及び図８に示すように、コネクタ７Ｄに接続された接続ケーブル８１を背面７４から後方に向けて保持する。このため、この画像読取装置１では、コネクタ７Ｄに接続された接続ケーブル８１をケーブル保持部２５が保持することで、接続ケーブル８１とコネクタ７Ｄとの接続不良が生じたり、接続ケーブル８１が不意にコネクタ７Ｄから脱落したりすることを防止できる。このため、この画像読取装置１では、情報処理装置１００との間の通信不良が生じ難くなっている。また、この画像読取装置１では、ケーブル保持部２５が接続ケーブル８１を背面７４から後方に向けて保持することにより、コネクタ７Ｄに接続された接続ケーブル８１は、空間８３内で左右方向に屈曲し難くなっている。このため、この画像読取装置１では、コネクタ７Ｄに接続された状態で接続ケーブル８１に応力が作用し難いことから、接続ケーブル８１が損傷し難くなっている。
【００４７】
また、ケーブル保持部２５は、第１立壁２５Ａと、第２立壁２５Ｂと、挿入口２５Ｃとを有している。第１立壁２５Ａと第２立壁２５Ｂとは、本体部３の上部から上方に延びているとともに、前後方向に延びている。このため、ケーブル保持部２５では、第１立壁２５Ａと第２立壁２５Ｂとで接続ケーブル８１を挟持することにより、接続ケーブル８１を好適に保持することが可能となっている。また、挿入口２５Ｃは、上方側に向かって開口しているとともに、前後方向に開口している。このため、接続ケーブル８１を保持するに当たり、挿入口２５Ｃを通じて第１立壁２５Ａと第２立壁２５Ｂとの間に接続ケーブル８１を配置させ易くなっている。
【００４８】
ここで、図８に示すように、第１立壁２５Ａには、第２立壁２５Ｂに向かって突出する第１係止リブ２５１、２５２が形成されており、第２立壁２５Ｂには、第１立壁２５Ａに向かって突出する第２係止リブ２５３、２５４が形成されている。このため、接続ケーブル８１を保持するに当たり、第１係止リブ２５１、２５２及び第２係止リブ２５３、２５４は、第１立壁２５Ａと第２立壁２５Ｂとの間で接続ケーブル８１に食い込むように当接する。このため、ケーブル保持部２５は、接続ケーブル８１を強固に保持することが可能となっている。
【００４９】
また、この画像読取装置１は、カバー９を備えており、カバー９は、第１位置と第２位置とに変位可能となっている。そして、カバー９は第１位置に変位することにより、プラテンガラス５１及びケーブル保持部２５の他、空間８３を上方から覆うことが可能となっている。これにより、この画像読取装置１は、カバー９を第１位置に変位させることで、プラテンガラス５１を保護することが可能となっている。ここで、空間８３は、上方だけでなく左方にも開口している。このため、図４に示すように、この画像読取装置１は、カバー９を第１位置に変位させた状態であっても、使用者が画像読取装置１を左方から見ることにより、空間８３を通じてコネクタ７Ｄの存在を確認することが可能となっている。これにより、この画像読取装置１は、使用者がコネクタ７Ｄを発見し易いことから、この点においても、コネクタ７Ｄに接続ケーブル８１を抜き差しし易くなっている。
【００５０】
一方、カバー９は第２位置に変位することにより、プラテンガラス５１及びケーブル保持部２５の他、空間８３を画像読取装置１の上方、つまり、画像読取装置１の外部に開放する。このため、この画像読取装置１は、カバー９を第２位置に変位させることで、プラテンガラス５１に媒体を載置することが可能となっている。また、カバー９を第２位置に変位させることで、空間８３を通じてコネクタ７Ｄに対する接続ケーブル８１の抜き差しを容易に行うことが可能となっているとともに、接続ケーブル８１をケーブル保持部２５に保持させることが可能となっている。
【００５１】
また、また、この画像読取装置１は、ケーブル保持部２５、より具体的には、第１立壁２５Ａ及び第２立壁２５Ｂは、第１位置に変位したカバー９と当接する。これにより、ケーブル保持部２５は、第１立壁２５Ａ及び第２立壁２５Ｂを通じて、第１位置に変位したカバー９を下方から支持することが可能となっている。このため、この画像読取装置１は、第１位置に変位した際のカバー９の剛性を確保することが可能となっている。
【００５２】
以上において、本発明を実施例に即して説明したが、本発明は上記実施例に制限されるものではなく、その趣旨を逸脱しない範囲で適宜変更して適用できることはいうまでもない。
【００５３】
例えば、操作パネル部７を本体部３の前面側かつ右端に配置することにより、操作パネル部７が保持部材５５の右辺５５Ｂ、すなわち画像読取部５の右方に隣接する構成としても良い。
【００５４】
また、第１立壁２５Ａと第２立壁２５Ｂとは、下方側で互いに接続する構成であっても良い。
【産業上の利用可能性】
【００５５】
本発明は例えば、画像読取装置又は複合機等に利用可能である。
【符号の説明】
【００５６】
１…画像読取装置、３…本体部、
５…画像読取部、７…操作パネル部
７４…背面、７Ｄ…コネクタ、８１…接続ケーブル
８３…空間、２５…保持部（ケーブル保持部）
５１…プラテンガラス、９…カバー
２５Ａ…第１立壁、２５Ｂ…第２立壁、
２５Ｃ…挿入口
【図１】
2020162073.tif 000003
【図２】
2020162073.tif 000004
【図３】
2020162073.tif 000005
【図４】
2020162073.tif 000006
【図５】
2020162073.tif 000007
【図６】
2020162073.tif 000008
【図７】
2020162073.tif 000009
【図８】
2020162073.tif 000010